(57)【要約】【課題】小型機にあっても、機械本体の安定性を向上させるバランスウエイトを設けることができる油圧ショベルの提供。【解決手段】本発明は、走行体１と、この走行体１上に配置される旋回体２と、この旋回体２に取り付けられる作業装置３と、走行体１に含まれる走行フレーム７に取り付けられるブレード１１とを備え、ブレード１１は、排土部１１ａと、この排土部１１ａを支持し、走行フレーム７に上下方向の回動可能に連結されるステー１１ｂ，１１ｃと含み、機械本体の安定性を向上させるために、走行フレーム７を下方に押圧する力を付与するバランスウエイト１２を備えたミニショベルにおいて、バランスウエイト１２を、ブレード１１のステー１１ｂ，１１ｃに設けた構成にしてある。【選択図】図５
2012057412.tif 000002
【特許請求の範囲】
【請求項１】
走行体と、この走行体上に配置される旋回体と、この旋回体に取り付けられる作業装置と、上記走行体に含まれる走行フレームに取り付けられるブレードとを備え、
上記ブレードは、排土部と、この排土部を支持し、上記走行フレームに上下方向の回動可能に連結されるステーと含み、
機械本体の安定性を向上させるために、上記走行フレームを下方に押圧する力を付与するバランスウエイトを備えた油圧ショベルにおいて、
上記バランスウエイトを、上記ブレードの上記ステーに設けたことを特徴とする油圧ショベル。
【請求項２】
請求項１に記載の油圧ショベルにおいて、
上記ステーは、内部に空間部を有する筒形状から成り、
上記バランスウエイトを、上記ステーの上記空間部に収納するように上記ステーに取り付ける取り付け手段を備えたことを特徴とする油圧ショベル。
【請求項３】
請求項２に記載の油圧ショベルにおいて、
上記取り付け手段は、
上記ステーの上面に形成した開口部と、
上記ステーの上面に取り付けられ、上記開口部に連通する挿入穴を有する上板と、
上記バランスウエイトを上記上板の上記挿入穴から上記ステーの上記開口部及び上記空間部に挿入した状態で、このバランスウエイトを上記上板に固定する固定手段とを含むことを特徴とする油圧ショベル。
【請求項４】
請求項３に記載の油圧ショベルにおいて、
上記上板の上記挿入穴、及び上記ステーの上記開口部に上記バランスウエイトが挿入されていない状態にあって、上記上板に取り付けられ、上記挿入穴を塞ぐ閉塞板を備えたことを特徴とする油圧ショベル。
【請求項５】
請求項１に記載の油圧ショベルにおいて、
上記バランスウエイトは、上記ステーの外側において上記ステーに装着可能な形状を有するものから成り、
上記バランスウエイトを上記ステーに固定する固定手段を備えたことを特徴とする油圧ショベル。
【発明の詳細な説明】
【技術分野】
【０００１】
本発明は、機械本体の安定性を向上させるバランスウエイトを備えたミニショベル等の油圧ショベルに関する。
【背景技術】
【０００２】
この種の従来の油圧ショベルとして、特許文献１に示されるものがある。この従来技術は、走行体と、この走行体上に配置される旋回体とを備え、センタフレームすなわち走行体に含まれる走行フレームの中央付近に位置する環状フレーム近傍に、複数のブロック体から成るバランスウエイトを配置した構成にしてある。このバランスウエイトは、機械本体の安定性を向上させるために設けられたものであり、センタフレームすなわち走行フレームを下方に押圧する力を付与している。
【０００３】
なお、特許文献１には示されていないが、通常、油圧ショベルにあっては、旋回体に上下方向の回動可能に取り付けられる作業装置が備えられている。この作業装置には、ブーム、アーム、及びバケット等が含まれている。
【０００４】
また、特許文献１には示されていないが、油圧ショベルが小型機等の場合、例えばミニショベル等にあっては、上述した作業装置と共に、排土作業を行うブレードを備えたものがある。このブレードは、排土部と、この排土部を支持し、走行フレームに上下方向の回動可能に連結されるステーとを含んでいる。
【先行技術文献】
【特許文献】
【０００５】
【特許文献１】特開２０００−１３６５４８号公報
【発明の概要】
【発明が解決しようとする課題】
【０００６】
上述した特許文献１に示される従来の油圧ショベルにあっては、機械本体の安定性を向上させるバランスウエイトを、走行フレームの中央部分に設けてあるが、油圧ショベルがミニショベル等の小型機である場合には、走行フレームの中央部分の形状寸法に制約を受け、バランスウエイトの設置領域の確保が困難である。すなわち、上述した従来技術は、ミニショベル等の小型機にあっては採用が難しい。
【０００７】
また、上述した従来の油圧ショベルにあっては、走行フレームの中央部分にバランスウエイトを設けることから、走行体上に旋回体が配置されて当該油圧ショベルが製作された後では、バランスウエイトの着脱が難しい。したがって、油圧ショベルの製作後にあっては、バランスウエイトによる荷重の調整が困難となる問題もあった。
【０００８】
本発明は、上述した従来技術における実状からなされたもので、その目的は、小型機にあっても、機械本体の安定性を向上させるバランスウエイトを設けることができる油圧ショベルを提供することにある。
【課題を解決するための手段】
【０００９】
この目的を達成するために、本発明は、走行体と、この走行体上に配置される旋回体と、この旋回体に取り付けられる作業装置と、上記走行体に含まれる走行フレームに取り付けられるブレードとを備え、上記ブレードは、排土部と、この排土部を支持し、上記走行フレームに上下方向の回動可能に連結されるステーと含み、機械本体の安定性を向上させるために、上記走行フレームを下方に押圧する力を付与するバランスウエイトを備えた油圧ショベルにおいて、上記バランスウエイトを、上記ブレードの上記ステーに設けたことを特徴としている。
【００１０】
このように構成した本発明は、今まで活用されていなかったブレードのステー部分にバランスウエイトを設けるようにしたので、走行フレームにバランスウエイトの設置領域を確保する必要がない。すなわち、本発明は、小型機であっても、機械本体の安定性を向上させるバランスウエイトを設けることができる。また、ブレードのステーは、走行体及び旋回体の外部に露出する部分であるので、当該油圧ショベルの製作後であっても、バランスウエイトの着脱を容易に行うことができる。
【００１１】
また本発明は、上記発明において、上記ステーは、内部に空間部を有する筒形状から成り、上記バランスウエイトを、上記ステーの上記空間部に収納するように上記ステーに取り付ける取り付け手段を備えたことを特徴としている。
【００１２】
このように構成した本発明は、筒形状に形成されたステーの内部の空間部をバランスウエイトの設置領域として活用できる。これによってステーの外部に露出するバランスウエイトの部分を必要最小限の大きさに抑えることができ、優れた意匠性を確保できる。
【００１３】
また本発明は、上記発明において、上記取り付け手段は、上記ステーの上面に形成した開口部と、上記ステーの上面に取り付けられ、上記開口部に連通する挿入穴を有する上板と、上記バランスウエイトを上記上板の上記挿入穴から上記ステーの上記開口部及び上記空間部に挿入した状態で、このバランスウエイトを上記上板に固定する固定手段とを含むことを特徴としている。
【００１４】
ステーの上面に取り付けられた上板の挿入孔からステーの開口部及び空間部にバランスウエイトを挿入して、このバランスウエイトを固定手段によって上板に固定することにより、バランスウエイトをステーに設けることができる。また、バランスウエイトをステーから離脱させようとするときには、固定手段によるバランスウエイトの固定を解いた後、ステーの開口部、空間部、及び上板の挿入孔からバランスウエイトを抜き取ることにより、バランスウエイトをステーから容易に離脱させることができる。
【００１５】
また本発明は、上記発明において、上記上板の上記挿入穴、及び上記ステーの上記開口部に上記バランスウエイトが挿入されていない状態にあって、上記上板に取り付けられ、上記挿入穴を塞ぐ閉塞板を備えたことを特徴としている。
【００１６】
上板の挿入孔、及びステーの開口部、空間部にバランスウエイトを挿入しない場合には、上板の挿入孔を閉塞板で塞ぐことにより、ステーを閉じた状態に保つことができる。したがって、この閉塞板によって土砂、雨水等がステーの内部に浸入することを防止できる。また、上板の挿入孔が閉塞板で閉じられるので、優れた意匠性を確保することができる。
【００１７】
また本発明は、上記発明において、上記バランスウエイトは、上記ステーの外側において上記ステーに装着可能な形状を有するものから成り、上記バランスウエイトを上記ステーに固定する固定手段を備えたことを特徴としている。
【００１８】
このように構成した本発明は、バランスウエイトをステーに設ける場合には、ステーの外側においてバランスウエイトをステーに装着させた状態で固定手段によってバランスウエイトをステーに固定すればよい。また、バランスウエイトをステーから離脱させるときには、ステーの外側において固定手段によってバランスウエイトの固定を解いた後、バランスウエイトを取り外せばよい。したがって、ステーに対するバランスウエイトの着脱をより容易に行うことができる。
【発明の効果】
【００１９】
本発明は、機械本体の安定性を向上させるために、走行フレームを下方に押圧する力を付与するバランスウエイトを、ブレードのステーに設けたことから、走行フレームにバランスウエイトの設置領域を確保しないで済み、小型機にあっても、機械本体の安定性を向上させるバランスウエイトを設けることができる。したがって、ミニショベル等のように走行フレームの形状寸法に制約を受ける小型の油圧ショベルであっても、バランスウエイトを設けることによって機械本体の安定性を向上させることができる。
【００２０】
また、ブレードのステーは、走行体及び旋回体の外部に露出する部分であるので、バランスウエイトの着脱をステーの外側において容易に行うことができる。これにより、当該油圧ショベルの製作後であっても、バランスウエイトによる荷重の調整を容易に行うことができる。
【図面の簡単な説明】
【００２１】
【図１】本発明に係る油圧ショベルの第１実施形態を構成するミニショベルを示す側面図である。
【図２】図１に示す第１実施形態に係るミニショベルに備えられる走行フレームとブレードを示す斜視図である。
【図３】第１実施形態に備えられるミニショベルに備えられるブレードを示す平面図である。
【図４】図３に示すブレードの側面図である。
【図５】図３のＡ−Ａ断面拡大図である。
【図６】第１実施形態に備えられる上板を示す図で、（ａ）図は平面図、（ｂ）図は側面図である。
【図７】第１実施形態に備えられるバランスウエイトを示す図で、（ａ）図は平面図、（ｂ）図は正面図、（ｃ）図は側面図である。
【図８】バランスウエイトを設置しない状態における第１実施形態のブレードを示す平面図である。
【図９】図８の側面図である。
【図１０】図８のＢ−Ｂ断面拡大図である。
【図１１】バランスウエイトを設置しない場合に使用される閉塞板を示す図で、（ａ）図は平面図、（ｂ）図は側面図である。
【図１２】本発明に係る油圧ショベルの第２実施形態を構成するミニショベルに備えられるブレードを示す平面図である。
【図１３】図１２の側面図である。
【図１４】図１３のＣ断面図である。
【図１５】第２実施形態に備えられるバランスウエイトを示す図で、（ａ）図は正面図、（ｂ）図は側面図、（ｃ）図は平面図である。
【発明を実施するための形態】
【００２２】
以下、本発明に係る油圧ショベルの実施の形態を図に基づいて説明する。
【００２３】
図１は、本発明に係る油圧ショベルの第１実施形態を構成するミニショベルを示す側面図である。
【００２４】
本発明の第１実施形態に係る油圧ショベルは、小型機を構成するミニショベルである。このミニショベルは、図１に示すように、走行体１と、この走行体１上に配置される旋回体２と、この旋回体２に上下方向の回動可能に取り付けられ、ブーム、アーム、バケットを含む作業装置３とを備えている。
【００２５】
走行体１には、走行フレーム７と、この走行フレーム７に取り付けられる駆動輪８及び誘導輪９と、これらの駆動輪８及び誘導輪９に巻回される履帯１０と、駆動輪８を駆動する図示しない走行モータとが含まれている。旋回体２上には、運転席４が配置され、この運転席４の上方はキャノピー５によって覆われている。運転席４の後方部分には、作業装置３による作業に際して重量バランスを確保するカウンタウエイト６が設けられている。走行体１の走行フレーム７には、排土作業を行うブレード１１が取り付けられている。
【００２６】
図２は、図１に示す第１実施形態に係るミニショベルに備えられる走行フレームとブレードを示す斜視図、図３は、第１実施形態に備えられるミニショベルに備えられるブレードを示す平面図、図４は、図３に示すブレードの側面図、図５は、図３のＡ−Ａ断面拡大図である。図６は、第１実施形態に備えられる上板を示す図で、（ａ）図は平面図、（ｂ）図は側面図、図７は、第１実施形態に備えられるバランスウエイトを示す図で、（ａ）図は平面図、（ｂ）図は正面図、（ｃ）図は側面図である。
【００２７】
図２に示すように、ブレード１１は、排土部１１ａと、この排土部１１ａを支持し、走行フレーム７に上下方向の回動可能に連結される一対のステー、すなわち第１ステー１１ｂ及び第２ステー１１ｃと、これらの第１ステー１１ｂと第２ステー１１ｃとを連結する軸体１３とを含んでいる。軸体１３には、ブレード１１を上下方向に回動させる図示しないブレードシリンダの一端が連結されるブラケット１５を設けてある。これに対応して走行フレーム７には、図示しないブレードシリンダの他端が連結されるブラケット１４を設けてある。第１ステー１１ｂには、複数のバランスウエイト１２を設けてある。同様に、第２ステー１１ｃにも複数バランスウエイト１２を設けてある。
【００２８】
バランスウエイト１２は、機械本体の安定性を向上させるために設けられるものであり、走行フレーム７を下方に押圧する力を付与する。このバランスウエイト１２は、図７に示すように、縦断面がＴ字状に設定され、上側に位置する平板部１２ａと、この平板部１２ａに連結されて下方に位置するブロック部１２ｂとから成っている。平板部１２ａの隅部には、複数のボルト穴１２ａ１を形成してあり、平板部１２ａの中央部にはねじ穴１２ａ２を形成してある。
【００２９】
図５に示すように、第１ステー１１ｂは、内部に空間部１８を有する筒形状から成っている。第２ステー１１ｃも第１ステー１１ｂと同じ筒形状から成っている。この第１実施形態は、バランスウエイト１２を、第１ステー１１ｂ及び第２ステー１１ｃの空間部１８に収納するように、これらのステー１１ｂ，１１ｃに取り付ける取り付け手段を備えている。
【００３０】
この取り付け手段は、例えば図５に示す第１ステー１１ｂ側にあっては、第１ステー１１ｂの上面に形成した長方形の開口部１６と、第１ステー１１ｂの上面に取り付けられ、開口部１６に連通する挿入穴１７ａを有する上板１７と、バランスウエイト１２を上板１７の挿入穴１７ａから第１ステー１１ｂの開口部１６及び空間部１８に挿入した状態で、このバランスウエイト１２を上板１７に固定する固定手段とを含んでいる。第２ステー１１ｃ側にあっても同様の構造となっている。
【００３１】
上板１７の下面には、図６に示すように、挿入穴１７ａを囲むように配置される複数のナット１７ｃを固着してある。また、上板１７にはナット１７ｃのねじ部に連通するようにボルト穴１７ｂを形成してある。上板１７の挿入穴１７ａから例えば第１ステー１１ｂの開口部１６及び空間部１８に挿入したバランスウエイト１２は、図５に示すように、その平板部１２ａが、第１ステー１１ｂの上面に固定された上板１７上に載置された状態で、ボルト１９がワッシャ２０を介して平板部１２ａのボルト穴１２ａ１に挿入され、上板１７のボルト穴１７ｂに挿入され、さらに上板１７のナット１７ｃのねじ部に螺合して、このバランスウエイト１２が上板１７に固定されるようになっている。第２ステー１１ｃ側にあっても、同様にしてバランスウエイト１２が上板１７に取り付けられる。
【００３２】
なお、バランスウエイト１２を離脱させるときには、ボルト１９を緩めて、バランスウエイト１２をステー１１ｂ，１１ｃの空間部１８等及び開口部１６等、並びに上板１７の挿入穴１７ａから抜き取ることにより行われる。
【００３３】
上述したバランスウエイト１２のボルト穴１２ａ１と、上板１７のボルト穴１７ｂ及びナット１７ｃと、ボルト１９及びワッシャ２０とによって、バランスウエイト１２を上板１７に固定する固定手段が構成されている。
【００３４】
バランスウエイト１２を、上板１７の挿入穴１７ａからステー１１ｂ，１１ｃの開口部１６等及び空間部１８等にそれぞれ挿入する際、あるいは挿入されているバランスウエイト１２を抜き取る際には、図３，４に示すアイボルト２１が活用される。すなわち、このアイボルト２１をバランスウエイト１２の上述した平板部１２ａのねじ穴１２ａ２に螺合させることによって、バランスウエイト１２のステー１１ｂ，１１ｃ内への挿入、あるいは挿入されているバランスウエイト１２の抜き取りが行われる。なお、このアイボルト２１は、例えばバランスウエイト１２をステー１１ｂ，１１ｃへ取り付けた後には外されるようになっている。
【００３５】
図８は、バランスウエイトを設置しない状態における第１実施形態のブレードを示す平面図、図９は図８の側面図、図１０は、図８のＢ−Ｂ断面拡大図である。図１１は、バランスウエイトを設置しない場合に使用される閉塞板を示す図で、（ａ）図は平面図、（ｂ）図は側面図である。
【００３６】
ステー１１ｂ，１１ｃにバランスウエイト１２を設置しない場合には、図１１に示す閉塞板２２が活用される。この閉塞板２２は、長方形から成り、隅部に複数のボルト穴２２ａを形成してある。
【００３７】
図８〜１０に示すように、この閉塞板２２は、例えば第１ステー１１ｂの上面に固定された上板１７上に載置された状態で、ボルト１９がワッシャ２０を介して閉塞板２２のボルト穴２２ａに挿入され、上板１７のボルト穴１７ｂに挿入され、さらに上板１７のナット１７ｃのねじ部に螺合して、この閉塞板２２が上板１７に固定される。第２ステー１１ｃ側にあっても同様である。これにより上板１７の挿入穴１７ａは閉塞板２２によって閉じられる。すなわち、閉塞板２２と上板１７とによって、ステー１１ｂ，１１ｃの開口部１６等及び空間部１８等が閉じられるようになっている。
【００３８】
なお、図２にあっては、ステー１１ｂ，１１ｃにそれぞれ固定された上板１７の全ての挿入穴１７ａにバランスウエイト１２を挿入し、図８にあっては、上板１７の例えば全て挿入穴１７ａを閉塞板２２で塞ぐようにしてあるが、ステー１１ｂ，１１ｃのそれぞれに固定した上板１７の挿入穴１７ａのうちの一部の挿入穴１７ａにのみバランスウエイト１２を挿入させ、バランスウエイト１２が挿入されていない残りの挿入穴１７ａを、閉塞板２２で塞ぐようにしてもよい。
【００３９】
図２に示すように、ステー１１ｂ，１１ｃのそれぞれに複数のバランスウエイト１２を取り付けたものでは、これらのバランスウエイト１２の荷重によって走行フレーム７を下方に押圧し、機械本体の安定性を向上させ、作業装置３等の駆動によって実施される作業に際して、安全性の高い作業を実現させることができる。
【００４０】
また、今まで活用されていなかったブレード１１のステー１１ｂ，１１ｃ部分にバランスウエイト１２を設けるようにしたので、走行フレーム７にバランスウエイト１２の設置領域を確保する必要がない。したがって、走行フレーム７の形状寸法に制約を受けやすい小型機を構成する当該ミニショベルにあっても、機械本体の安定性を向上させるバランスウエイト１２を設けることができ、これによって当該ミニショベルの機械本体の安定性を向上させることができる。
【００４１】
また、ブレード１１のステー１１ｂ，１１ｃは、走行体１及び旋回体２の外部に露出する部分であるので、当該ミニショベルの製作後であっても、バランスウエイト１２の離脱を容易に行うことができる。これにより、当該ミニショベルの製作後であっても、バランスウエイト１２による荷重の調整を容易に行うことができる。
【００４２】
また、筒形状に形成されるステー１１ｂ，１１ｃの内部の空間部１８等をバランスウエイト１２の設置領域として利用できる。これに伴って、図２等に示すように、ステー１１ｂ，１１ｃの外部に露出するバランスウエイト１２の部分を必要最小限の平板部１２ａのみに抑えることができ、優れた意匠性を確保することができる。
【００４３】
また、この第１実施形態によれば、バランスウエイト１２のステー１１ｂ，１１ｃへの取り付け、あるいはステー１１ｂ，１１ｃからのバランスウエイト１２の取り外しを、バランスウエイト１２のねじ穴１２ａ２に螺合するアイボルト２１によって行うようにしてあることから、バランスウエイト１２のステー１１ｂ，１１ｃの着脱をより容易に行うことができる。
【００４４】
また、この第１実施形態によれば、上板１７の挿入穴１７ａ、及びステー１１ｂ，１１ｃの開口部１６等、空間部１８等にバランスウエイト１２を挿入しない場合には、上板１７の挿入穴１７ａを閉塞板２２で塞ぐことにより、ステー１１ｂ，１１ｃを閉じた状態に保つことができる。したがって、この閉塞板２２によって、土砂、雨水等のステー１１ｂ，１１ｃの内部への浸入を防止することができる。また、上板１７の挿入穴１７ａが閉塞板２２で閉じられるので、優れた意匠性を確保することができる。
【００４５】
図１２は、本発明に係る油圧ショベルの第２実施形態を構成するミニショベルに備えられるブレードを示す平面図、図１３は図１２の側面図、図１４は図１３のＣ断面図である。図１５は、第２実施形態に備えられるバランスウエイトを示す図で、（ａ）図は正面図、（ｂ）図は側面図、（ｃ）図は平面図である。
【００４６】
この第２実施形態に係るミニショベルに備えられるバランスウエイト２３は、ステー１１ｂ，１１ｃのそれぞれの外側において該当するステーに装着可能な形状を有するものから成り、バランスウエイト２３をステー１１ｂ，１１ｃのそれぞれに固定する固定手段を備えている。
【００４７】
すなわち、バランスウエイト２３は、図１５に示すように、上面部２３ａと、この上面部２３ａに連設され、互いに対向する一対の側面部２３ｂ，２３ｃとを備え、ステー１１ｂ，１１ｃをそれぞれ跨ぐように縦断面がコ字状に形成されている。このバランスウエイト２３の側面部２３ｂには、ねじ穴２３ｂ１を形成してある。
【００４８】
図１４等に示すように、ボルト２４をバランスウエイト２３の側面部２３ｂのねじ穴２３ｂ１に螺合させることによって、このバランスウエイト２３が第１ステー１１ｂ、あるいは第２ステー１１ｃに固定される。すなわち、上述したボルト２４と、バランスウエイト２３の側面部２３ｂに形成したねじ穴２３ｂ１とによって、バランスウエイト２３をステー１１ｂ，１１ｃに固定する固定手段が構成されている。その他の構成は、上述した第１実施形態におけるミニショベルと同等である。
【００４９】
この第２実施形態に係るミニショベルも、ブレード１１のステー１１ｂ，１１ｃにバランスウエイト２３を設けたことから、第１実施形態におけるのと同様に、走行フレーム７にバランスウエイト２３の設置領域を確保しないで済み、小型機であるミニショベルにあっても、機械本体の安定性を向上させるバランスウエイト２３を設けることができる。また、ブレード１１のステー１１ｂ，１１ｃは、走行体１及び旋回体２の外部に露出する部分であるので、バランスウエイト２３の着脱が容易で、当該ミニショベルの製作後であっても、バランスウエイト２３による荷重の調整を容易に行うことができる。
【００５０】
また特に、この第２実施形態では、バランスウエイト２３をステー１１ｂ，１１ｃに設ける場合には、ステー１１ｂ，１１ｃの外側においてバランスウエイト２３を、ステー１１ｂ，１１ｃに装着させた状態でボルト２４によってステー１１ｂ，１１ｃに固定すればよい。また、バランスウエイト２３をステー１１ｂ，１１ｃから離脱させるときには、ボルト２４を緩めてステー１１ｂ，１１ｃの外側においてバランスウエイト２４を取り外せばよい。したがって、バランスウエイト２４の着脱を第１実施形態の場合に比べて、より容易に行うことができる。
【符号の説明】
【００５１】
１    走行体
２    旋回体
３    作業装置
７    走行フレーム
１１    ブレード
１１ａ  排土部
１１ｂ  第１ステー
１１ｃ  第２ステー
１２    バランスウエイト
１２ａ  平板部
１２ａ１  ボルト穴
１２ａ２  ねじ穴
１２ｂ  ブロック部
１６    開口部
１７    上板
１７ａ  挿入穴
１７ｂ  ボルト穴
１７ｃ  ナット
１８    空間部
１９    ボルト
２０    ワッシャ
２１    アイボルト
２２    閉塞板
２２ａ  ボルト穴
２３    バランスウエイト
２３ａ  上面部
２３ｂ  側面部
２３ｂ１  ねじ穴
２３ｃ  側面部
２４    ボルト
【図１】
2012057412.tif 000003
【図２】
2012057412.tif 000004
【図３】
2012057412.tif 000005
【図４】
2012057412.tif 000006
【図５】
2012057412.tif 000007
【図６】
2012057412.tif 000008
【図７】
2012057412.tif 000009
【図８】
2012057412.tif 000010
【図９】
2012057412.tif 000011
【図１０】
2012057412.tif 000012
【図１１】
2012057412.tif 000013
【図１２】
2012057412.tif 000014
【図１３】
2012057412.tif 000015
【図１４】
2012057412.tif 000016
【図１５】
2012057412.tif 000017